(57)【特許請求の範囲】
【請求項１】
流体通路（５６、５６ａ）を画定するハウジング（１６）と、ハウジング内に配置され、開閉可能な開口（８０、８０ａ）及び膨張したときに流体の容積を維持できるようにされた膨張可能かつ圧潰可能な容器（１００）を含む再シール部材（５８、５８ａ）と、を有し、
再シール部材は、通常、開口（８０、８０ａ）が閉じかつ容器が圧潰されているハウジング内の第１の位置にあり、
再シール部材（５８、５８ａ）は、前記再シール部材に圧縮圧力を付与すると、容器が膨張し、開口が開いて流体通路及び容器と連通する第２の位置へハウジング内を動き、前記再シール部材から圧縮圧力を除去すると、開口が閉じかつ容器が圧潰する第１の位置へ弾性的に戻るように変形でき；
前記再シール部材は、ハウジング（１６）と共動係合し、前記再シール部材が第１の位置へ弾性的に戻る時に生じる容器の圧潰が流体通路内に真空の発生するのを防ぐように容器内に保持された流体の容積を流体通路内へ強制し、
再シール部材（５８、５８ａ）は、末端部（６６、６６ａ）並びに内面及び外面を画定する基端部（６４、６４ａ）を備える弾性体（６０、６０ａ）と、前記弾性体内に配置される半径方向の板ばね（８４、８４ａ）と、を有し、前記開口（８０、８０ａ）が前記基端部を通り内面及び外面の間をのび、前記半径方向板ばねが基端部の外面に圧縮圧力が加わらないときに開口を閉じる半径方向内方の偏倚力を基端部に付与し、前記容器（１００）が前記板ばねと弾性体との間に画定され、
前記板ばね（８４、８４ａ）が、基部分（８６、８６ａ）と、前記基部分からのびかつ間にスロットをもつ多数の板部分（８８、８８ａ）とを備え、前記板部分が、通常開口を閉じる弾性体（６０、６０ａ）の基端部に半径方向内方の偏倚力を付与し、再シール部材が第２の位置へ動くときには開口と容器との間に、また再シール部材が第１の位置へ戻るときには容器と流体通路との間に流体流れ通路を前記スロットが画定し、
前記ハウジング（１６）は、内部室（２６）と、内部室と連通する中央開口（２８）と、流体の通路を画定する細長い基部にのびる膨張体突起部分（４０、４０ａ）とを備え、前記再シール部材が中央開口及び内部室内に配置される針なし注射サイト。
【請求項２】
前記流体通路（５６、５６ａ）が内径をもち、容器（１００）は、膨張したときに流体通路の内径と第１の位置から第２の位置までの再シール部材の動く距離との積より大きい容積容量をもつ請求項１の針なし注射サイト。
【請求項３】
膨張した容器の容積容量がほぼ０．０３５ｍｌである請求項２の針なし注射サイト。
【請求項４】
前記再シール部材の弾性体（６０、６０ａ）は、再シール部材が第１の位置と第２の位置との間を動くときに、開口（８０、８０ａ）を流体通路と同軸整列して維持する心出しリング（１１４ａ）を備える請求項１の針なし注射サイト。
【請求項５】
前記再シール部材の弾性体（６０、６０ａ）は、再シール部材が第２の位置から第１の位置へ動くときに、容器を圧潰するのを助ける少なくとも一つの圧縮リング（１１６ａ）を備える請求項１の針なし注射サイト。
【請求項６】
前記再シール部材の弾性体（６０、６０ａ）は、再シール部材が第２の位置から第１の位置へ動くときに、容器を圧潰するのを助ける少なくとも一組の弓形輪郭のタブ（１１８ａ）を備える請求項１の針なし注射サイト。
【請求項７】
前記再シール部材の弾性体（６０、６０ａ）は、再シール部材が第２の位置から第１の位置へ動くときに、容器を圧潰するのを助ける多数の細長い圧縮リブ（１２０ａ）を備える請求項１の針なし注射サイト。
【請求項８】
前記再シール部材の弾性体の基端部（６４ａ）の外面（７６ａ）は、再シール部材が第１の位置から第２の位置へ動く際に、基端部の軸方向の膨れを除くために凹部（１１２ａ）を備える請求項１の針なし注射サイト。
【請求項９】
前記再シール部材の弾性体の基端部の内面（７８、７８ａ）がほぼ半球状形態をもち、また前記開口（８０、８０ａ）が基端部の外面と内面の頂点との間に軸方向にのびる請求項１の針なし注射サイト。
【請求項１０】
前記板部分（８８、８８ａ）の各々が、基部分までのびる傾斜部分（９４、９４ａ）をもつ内面を備える請求項１の針なし注射サイト。
【請求項１１】
前記再シール部材がさらに、スプライン外面をもちかつ弾性体の末端部及びハウジングに対して当接する細長いドーナッツばね（９６、９６ａ）を備える請求項１の針なし注射サイト。
【請求項１２】
前記弾性体（６０、６０ａ）及び細長いドーナッツばね（９６、９６ａ）が各々シリコーンから成る請求項１１の針なし注射サイト。
【請求項１３】
前記ハウジング（１６）は、第１の位置から第２の位置へ再シール部材の動く際に、内部室（２６）をベントする少なくとも一つの細長いスロット（１３０ａ）を備える請求項１の針なし注射サイト。
【請求項１４】
前記ハウジングは、第１の位置から第２の位置へ再シール部材の動く際に、内部室をベントする少なくとも２つのベント開口（１３８ａ）を備える請求項１の針なし注射サイト。
【請求項１５】
前記再シール部材（５８）は、細長いドーナッツばね（９６、９６ａ）を含み、該ドーナッツばねは、弾性体の末端部に当接する第１の端部と、ハウジングに対して当接する第２の端部と、長手方向にのびる孔（９８、９８ａ）とを備え、
前記膨張体突起部分（４０、４０ａ）は、ドーナッツばね（９６、９６ａ）の孔（９８、９８ａ）を介して半径方向板ばね内にのび、基端部の外面に圧縮力を付与すると、半径方向板ばねを膨張体突起部分上の末端部へ進めて開口（８０、８０ａ）を開放させかつ容器を膨張させ、そして外面から圧縮力を除去すると、半径方向板ばねを膨張体突起部分上から基端部へ引き込めて開口を閉成させかつ容器を圧潰させる請求項１の針なし注射サイト。
【請求項１６】
前記弾性体（６０、６０ａ）は、前記基端部（６４）を画定するほぼ円筒状の基部分と、前記末端部（６６）を画定するほぼ円筒状の末端部分と、末端部分と基部分との間に形成された面取り肩部（７２、７４）とを有し、前記末端部分の直径が前記基部分の直径以上である請求項１５の針なし注射サイト。
【請求項１７】
前記弾性体（６０、６０ａ）の基部分は、再シール部材が第１の位置と第２の位置との間を動くときに、開口（８０、８０ａ）を流体通路と同軸整列して維持する心出しリング（１１４ａ）を備える請求項１５の針なし注射サイト。
【請求項１８】
前記心出しリングは、再シール部材が第１の位置から第２の位置へ動くときに、内部室をベントする少なくとも一つのノッチ（１４０ａ）を備える請求項１７の針なし注射サイト。
【請求項１９】
前記弾性体の末端部分は、再シール部材が第２の位置から第１の位置へ動くときに、容器を圧潰するのを助ける少なくとも一つの圧縮リング（１１６ａ）を備える請求項１６の針なし注射サイト。
【請求項２０】
前記弾性体の末端部分は、再シール部材が第２の位置から第１の位置へ動くときに、容器を圧潰するのを助ける少なくとも一組の弓形輪郭のタブ（１１８ａ）を備える請求項１６の針なし注射サイト。
【請求項２１】
前記弾性体の末端部分は、再シール部材が第２の位置から第１の位置へ動くときに、容器を圧潰するのを助ける多数の細長い長手方向にのびる圧縮リブ（１２０ａ）を備える請求項１６の針なし注射サイト。
【請求項２２】
前記ドーナッツばね（９６、９６ａ）がスプライン外面を備え、またドーナッツばねの第１の端部が面取り形態である請求項１５の針なし注射サイト。
【請求項２３】
前記ドーナッツばね（９６、９６ａ）に予備負荷を加えるように再シール部材が第１の位置にあるときに、弾性体の末端部とハウジングとの間に圧縮されるように寸法決めされる請求項２２の針なし注射サイト。
【請求項２４】
前記弾性体が、膨張体突起部分に対するシールを形成するために弾性体の末端部分のまわりに形成されかつ弾性体の末端部分から半径方向内方へのびる環状フランジ（８２、１２２ａ）を備える請求項１５の針なし注射サイト。
【請求項２５】
前記弾性体及び前記ドーナッツばねが各々シリコーンから成る請求項１５の針なし注射サイト。
【請求項２６】
前記弾性体の基端部の内面（７８、７８ａ）がほぼ半球状形態をもち、また前記開口（８０、８０ａ）が基端部の外面と内面の頂点との間に軸方向にのびる請求項１５の針なし注射サイト。
【請求項２７】
前記弾性体の基端部の外面（７６ａ）がほぼ円形の凹部を備え、また開口（８０、８０ａ）が凹部のほぼ中央と内面の頂点との間に軸方向にのびる請求項２６の針なし注射サイト。
【請求項２８】
前記板部分（８８、８８ａ）の各々は、基部分までのびる傾斜部分（９４、９４ａ）をもつ内面を備え、傾斜部分が、再シール部材を末端部へ進めて板部分（８８、８８ａ）を外方へ撓ませかつ開口を開放させることになるときに膨張体突起部分（４０、４０ａ）と接触し、また傾斜部分が、膨張体突起部分によって外方へ撓んだときに板部分（８８、８８ａ）の曲がりを阻止するように寸法決めされる請求項１５の針なし注射サイト。
【発明の詳細な説明】
【０００１】
【関連出願】
本発明は、１９９７年４月１日に発行された米国特許明細書第５，６１６，１２９号（発明の名称：針なし注射サイト）の一部継続出願である１９９７年４月１日に発行された米国特許明細書第５，６１６，１３０号（発明の名称：針なし注射サイト）の一部継続出願である１９９６年８月２０日に出願された米国特許出願第０８／６９９，８４８号（発明の名称：針なし注射サイト）の一部継続出願である１９９６年１０月２１日に出願された米国特許出願第０８／７３５，２１７号（発明の名称：一定流量の針なし注射サイト）の一部継続出願であり、これらの開示内容は参照文献として本明細書に結合される。
【０００２】
【発明の分野】
本発明は、一般には医療技術に関するものであり、一層特に静脈注射の用途に用いられる針なし注射サイト（ｓｉｔｅ：設備）に関する。
【０００３】
【背景技術】
種々の流体すなわち医薬を患者の血管（例えば静脈又は動脈）に点滴注射することは普通の医療手段である。このような注射は普通、中空注入針を目標とする血管に差込むことにより行われる。中空注入針は細長い撓み管すなわち流体管路の一端に流体連通可能に接続され、細長い撓み管の他端は溶液バックに流体連通可能に接続される。溶液バック自体は通常、患者の上方に吊下げられ、重力により流体管路を通って下方へ流体を流れさせそして操作状態で血管内に位置して保持される注入針を介して患者の血管内に流れさせる。流体管及び溶液バックは、バックから管への流体の注入速度を調節する計量装置を介して互いに接続される。
【０００４】
多くの点滴注射組立体において、注入サイトは注入針と溶液バックとの中間の管内に流体連通可能に接続される。この注入サイトは典型的にはＹ型形態であり、そして管状本体部分を有し、この管状本体部分はそれと流体連通した管状側部アーム部分を備える。管状側部アーム部分の末端部は管の上方部分を介して溶液バックに流動的に接続され、管状本体部分の底端部は管の下方部分を介して注入針に流動的に接続される。管状本体部分の頂端部はそれ自体、典型的にはゴム又は同様な弾性材料から成るダイヤフラムで覆われる。
【０００５】
管内に注射サイトを包含することは、種々の医薬を、溶液バックから上方管部分、注射サイト、下方管部分及び注入針を介して患者の血管内へ流れる溶液に添加することによって、患者の血管に選択的に注射することを可能にする。この補足的な注射は、普通は、通常の注射器を用いることにより行われ、注射器の針は、注射サイトの本体部分の頂端部に位置したダイヤフラムに差し込まれ通される。注射器内から流れる溶液中への医薬の放出に続いて、針は注入サイトの本体部分から引き抜き、針を刺すことによりダイヤフラムにできた開口はダイヤフラムの弾性によりそのような針の引き抜き時に実質的に閉じられる。気づかれるように、管内に注射サイトを組込むことにより、血管内の既存の注射サイトを介して患者に種々の医薬を点適で注射することができ、従って、患者に付加的に針を刺す必要がなくなる。
【０００６】
従来技術に従って構成した注射サイトは、患者にある一定の利点をもたらすが、それらの全体利用性を損なうある欠点を有する。前に説明したように、このような注射サイトを使用するには通常、普通の注射器の針を注射サイトの本体部分の頂端部に取付けたダイヤフラムに刺し通す（すなわち穴あけする）必要がある。しかしながら、溶液の流れの中に医薬を注入するのに針付きの注射器を用いなければならない必要性は、不注意に針を刺す危険のために望ましくない。この欠点を認識して、従来技術において、針を刺し込む必要なしに開閉形態となるようにされたダイヤフラムを組合せた針なし注射サイトが開発されてきた。
【０００７】
これらの針なし注射サイトは、針でダイヤフラムを穴あけする必要をなくするが、それらの全体利用性を損なうある欠点を有する。これらの欠点の第１の欠点は、医薬の注入に続いて注射サイト特にそれのダイヤフラムを消毒することに伴う困難さである。これに関して、注射サイトの各使用後、ダイヤフラムは洗浄されなければならず、このような洗浄は典型にはアルコール又は同様な消毒剤をダイヤフラムに添加することにより行われる。しかしながら、ダイヤフラムの形態のために、完全かつ有効な消毒を行うことはしばしば困難であり、そのため、注射サイトをその後に使用する際に溶液の流れに汚染物が不注意に入り込む危険が増大する。
【０００８】
従来技術の注射サイトに伴うこれらの欠点を解決する努力において、本出願人は、本願の親の出願である上記の米国特許及び出願中の米国特許出願に開示された針なし注射サイトを開発した。本針なし注射サイトは本願の親の出願に開示したものの改良を構成する。これに関連して、本針なし注射サイトは、流体の流路の不注意な妨害を避け、そして注射サイト内から針付き又は針なし注入器を引き抜くこによりそれに接続された流体管路内に真空が生じないように流体の流路内の正の流れのレベルを増大するようにされる構造上の特徴を有している。
【０００９】
【発明の概要】
本発明によれば、ハウジングを有する針なし注射サイトが提供される。ハウジング自体は、内部室と、内部室に連通する中央開口と、流体通路を画定しかつ同軸的に整列して中央開口に向ってのびる細長い基部にのびる膨張体突出部分とを備える。
【００１０】
ハウジングに加えて、本注射サイトは、ハウジングの中央開口及び内部室内に配置される再シール部材を有する。再シール部材は、弾性的に開閉可能な開口及び膨張したときに流体の容積を維持できるようにされた膨張かつ圧潰可能な容器を備える。再シール部材は、通常、開口が閉じかつ容器が圧潰されるハウジング内の第１の位置にある。再シール部材は、再シール部材に末端部に向いた圧縮圧力を付与すると、容器が膨張し、開口が開いて流体通路及び容器と連通する第２の位置へハウジング内を末端部に動く。再シール部材から末端部に向いた圧縮圧力を除去すると、再シール部材は、開口が閉じかつ容器が圧潰する第１の位置へ弾性的に戻る。再シール部材が第１の位置へ弾性的に戻る時に生じる容器の圧潰により、容器内の流体は流体の通路内へ強制されて容器内に真空の発生するのを有効に防ぐ。
【００１１】
本発明によれば、再シール部材は、末端部と内面及び外面を画定する基端部を備える弾性体を有する。弾性的に開閉可能な開口は基端部を介して内面及び外面間にのびる。弾性体の基端部はほぼ円筒状の基端部分で画定され、末端部は弾性体のほぼ円筒状末端部分で画定される。基端部分及び末端部分は、それらの間に形成された面取り肩部で分離され、そして末端部分の直径が基端部分の直径を越えるように寸法決めされる。
【００１２】
本発明の注射サイトにおいては、弾性体の基端部の内面は、再シール部材が第１の位置と第２の位置との間で動くときに基端部の不注意な引裂けを防止するためにほぼ半球状形態をもつ。さらに、好ましくは弾性体の基端部の外面には円形形状の凹部が形成され、この凹部は外面内の中心に位置決めされる。再シール部材の開口は、外面内に形成した円形凹部のほぼ中央と半球形内面の頂点との間に軸方向にのびる。外面内に凹部を形成することにより、注射器又は他の流体注入装置の先端によって基端部に対して作用する末端部に向う圧縮圧力が開口のまわりの外面の周囲部に加えられることになる。圧縮圧力が開口のまわりの外面の周囲部に加わることにより、再シール部材が第１の位置から第２の位置へ動く際の弾性体の基端部の軸方向ふくらみは避けられる。このような軸方向ふくらみは、避けられないと、再シール部材の開口を通る流れを妨げることになる。
【００１３】
再シール部材の弾性体の基端部分には、心出しリングが形成され、この心出しリングは基端部分のまわりにのび、そしてほぼ楔型の横断面形状をもつ。心出しリングは、再シール部材が第１の位置と第２の位置との間を動く際に、開口を膨張体突出部分で画定した流体通路と同軸整列して維持するのに用いられる。このような同軸整列して維持することにより、再シール部材がハウジング内を末端部へ進む際に開口は開放位置へ弾性的に膨張する。心出しリングは、再シール部材が第１の位置から第２の位置へ動くときに、ハウジングの内部室をベントするために一つ以上のノッチを随意に備えることができる。
【００１４】
弾性体の基端部分における心出しリングの形成に加えて、面取り肩部に隣接して弾性体の末端部分には好ましくは、そのまわりにのびる少なくとも一つ、好ましくは一対の圧縮リングが形成される。心出しリングと同様に、各圧縮リングは好ましくは、ほぼ楔型横断面形状をもつ。圧縮リングは、再シール部材が第２の位置から第１の位置へ動くときに、容器を圧潰するのを助けるために再シール部材の弾性体の末端部分の直径を有効に増大する。
【００１５】
圧縮リングの代りとして、弾性体の末端部分は、そこに形成されかつ弾性体の面取り肩部に隣接してそのまわりにのびる少なくとも一つ、好ましくは二組の弓形輪郭のタブを備えることができる。各組の弓形輪郭のタブは、ほぼ９０度の間隔で分離される四つの圧縮タブを備える。各組の圧縮タブは好ましくは他の組の圧縮タブのそれぞれと長手方向に整列する。圧縮リングの別の代りとして、弾性体の末端部分は、弾性体の面取り肩部に隣接してそこに形成した多数の細長い長手方向にのびる圧縮リブを備えることができる。圧縮リブは各々好ましくは、ほぼ楔型横断面形状をもち、そして互いに等間隔に弾性体の末端部分のまわりにのびる。
【００１６】
圧縮リング、圧縮タブか又は圧縮リブに加えて、再シール部材の弾性体の末端部分には、弾性体の末端部のまわりにしかも末端部から半径方向内方へのびる環状フランジが形成される。この環状フランジは、再シール部材がハウジングの内部へ挿入される時に、膨張体突出部分に対するシールを形成するのに用いられる。弾性体のフランジによって形成したらシールは、再シール部材が第１の位置と第２の位置との間で動く際に、膨張体突出部分に沿った弾性体の運動中、維持される。
【００１７】
再シール部材はさらに、弾性体内に配置される半径方向板ばねを有する。この半径方向板ばねは、基部分と、基部分からのびかつ間にスロットをもつ多数の撓み板部分とを備える。板部分は、基端部の外面に末端部に向う圧縮圧力が加わらないときには通常開口を閉じる弾性体の基端部に半径方向内方の偏倚力を加えるようにされる。再シール部材の容器は、半径方向板ばねと弾性体との間に画定され、スロットは、再シール部材が第２の位置へ動く際には開口と容器との間に、また再シール部材が第１の位置へ戻るときには容器と流体通路との間に流体流れ通路を画定する。
【００１８】
本針なし注射サイトにおいて、容器は、好ましくは、膨張したときに流体通路の内径と第１の位置及び第２の位置間の再シール部材の動く距離との積より大きい容積容量をもつ。一層特に、膨張した容器の容積容量は好ましくはほぼ０．０３５ｍｌである。
【００１９】
弾性体及び半径方向板ばねに加えて、再シール部材は、細長くてほぼ円筒状のドーナッツばねを有し、このドーナッツばねは、面取りした第１の端部と、弾性体の末端部に当接する部分と、ハウジングに当接する第２の端部とを備える。ドーナッツばねを通って長手方向すなわち軸方向に孔がのび、この孔は、ハウジングの膨張体突出部分を収容するように寸法及び形状をもつ。ドーナッツばねは、好ましくは、スプライン外面すなわち溝付き外面を備え、この外面は内部に長手方向にのびる多数の細長い通路を画定する。ドーナッツばねのスプライン形状は、再シール部材が第１の位置及び第２の位置間を動く際に膨張体突出部分に作用する摩擦のレベルを低減し、かつまた本注射サイトの組立中に膨張体突出部分を孔内へ素早くかつ容易に挿入できるようにする。ドーナッツばねは、好ましくは、再シール部材が第１の位置にあるときに僅かな圧縮力（すなわち予備負荷）が加えられるように寸法決めされる。再シール部材の弾性体及びドーナッツばねの両方は好ましくはシリコーン又は同様な材料から成る。
【００２０】
ハウジングの膨張体突出部分は、再シール部材内へ延び、一層特に、ドーナッツばねの孔を通って半径方向板ばね内へのびる。前に指摘したように、再シール部材の弾性体の末端部のまわりにその末端部から半径方向内方にのびる環状フランジは、膨張体突出部分が孔を介して再シール部材内へのびるときに膨張体突出部分に当接し、こうしてそれらの間に流体密シールが形成される。弾性体の基端部の外面に末端に向う圧力を加えることにより、半径方向板ばねは膨張体突出部分上を末端部へ進められる。その結果板部分は外側へ撓み、開口は半径方向にのびて開放する。半径方向板ばねの板部分の外側への撓みは、板部分のそれぞれの内面に形成されそして半径方向板ばねの基部分にのびる下向きに傾斜した傾斜部分によって補助される。
【００２１】
これらの傾斜部分は、再シール部材が膨張体突出部分上を末端部へ進められるときに膨張体突出部分と係合し、こうして板部分は外側に撓みそして開口は開くことになる。傾斜部分の大きさは、膨張体突出部分上を再シール部材が末端部へ進められることにより板部分が外側へ撓む際にこれらの板部分が垂れ下がるを阻止するようにされる。再シール部材が第２の位置へ動くことにより、容器は通常の圧潰した状態から膨張する。
【００２２】
弾性体の基端部の外面から末端部に向う圧縮圧力を取除くことにより、半径方向板ばねは膨張体突出部分上から基端部に向かって引かれる。このような基端部に向う動きにより開口は弾性的に閉じられ、そして容器はハウジングによって圧縮すなわち圧潰される。再シール部材が第２の位置へ動く際に、ドーナッツばねは、再シール部材の弾性体の末端部とハウジングとの間で圧縮され、このような圧縮により通常、ドーナッツばねの外面のスプラインはほぼ曲がりくねった形態となる。再シール部材の第１の位置への戻り運動は、ドーナッツばねが通常の予備負荷形態へ弾性的に戻ることによって補助される。
【００２３】
再シール部材が第２の位置へ末端に向って動くときに、開いた開口を介して内部へ導入された点滴流体は、半径方向板ばねの板部分の間に画定したスロットを介して膨張した容器内へ流れる。容器内への流れに加えて、この流体はハウジングの膨張体突出部分で画定された流体通路内へ直接流れる。再シール部材が第１の位置へ弾性的に戻るときには、ハウジングによる容器の結果としての圧潰は板部分間に画定されたスロットを介して流体通路へ流体を逆流させ、それによりゼロ又は正の変位が生じ、すなわち流体通路内に真空の生じるのを阻止する。前に指摘したように、容器は好ましくは、保持した流体容積のほぼ０．０３５ｍｌ変位するように寸法決めされ、容器の容積容量は好ましくは、再シール部材が第１の位置から第２の位置へ動く際の再シール部材の軸方向移動距離と流体通路の内径との積に等しいか又はそれより大きい。
【００２４】
本針なし注射サイトのハウジングは、中心開口を画定する上方部分と、上方部分に取付けられる下方部分とを有する。上方部分及び下方部分は、互いに取付けられると、内部室を正しく画定する。下方部分自体は、好ましくは、超音波溶着により上方部分に取付けられる中央部分を有し、この中央部分は一側から基端部に向ってのびる膨張体突出部分及び反対側から末端部に向かってのびるアダプター部分を備えている。下方部分のアダプター部分は好ましくは丸い先端部及びテーパー状の外面をもつ管接続部を有する。この管接続部には通気キャップが滑動可能にのびることができかつ摩擦保持できる。下方部分は更に、アダプター部分を包囲する末端ロック領域を備え、そして好ましくはその中に形成された多数のＬｕｅｒねじを備える。ハウジングの上方部分は一つ以上の細長いスロットを随意に備えることができ、これらのスロットは、中央開口を画定しかつ内部室を部分的に画定する上方部分の内面の部分内に配置され、それらの部分に沿ってのびる。
【００２５】
１つ又は複数のスロットは、再シール部材が第１の位置から第２の位置へ動く際に内部室をベントするのに用いられる。代りに、ハウジングの下方部分は、再シール部材が第１の位置から第２の位置へ動く際に内部室をベントするのに用いられる二つ以上の開口を随意に備えることができる。本発明のこれら及びその他の特徴は添付図面を参照することにり更に明らかとなろう。
【００２６】
【好ましい実施の形態の詳細な説明】
単に本発明の好ましい実施の形態を例示する目的であって本発明を限定しない目的で示す図面を参照すると、図１には、患者の血管（例えば静脈又は動脈）へ医薬を注射するのに用いられる本発明に従って構成した針なし注射サイト１０を示す。以下に詳細に説明するように、本発明の針なし注射サイト１０は従来技術に従って構成したものに比べて種々の利点をもち、すなわち特に針なし注入器１４が引き抜かれる際に、針なし注射サイト１０から患者の血管までのびる流体ライン１２内において流体が変位しない即ち正の変位が生じるようにされる。重要な点として、流体のこのようなゼロすなわち正の変位は、流体ライン１２内に真空が生じるのを阻止し、従って流体ライン１２への血液の逆流は避けられる。認識されるように、流体ライン１２への血液の逆流は非常に望ましくなく、血液が凝固すると、流体ライン１２が妨げられたり、患者の血管内へ不注意に入る凝固体が生じたりし得る。
【００２７】
次に図２〜図５を参照すると、本発明の針なし注射サイト１０は中空ハウジング１６を有する。このハウジング１６はそれ自体上方部分１８を備え、この上方部分１８は減径基端部分２０を備え、減径基端部分２０の外面にはＬｕｅｒねじ２２が形成される。上方部分１８に加えて、ハウジング１６は下方部分２４を備え、下方部分２４は上方部分１８に堅固に取付けられる。上方部分１８及び下方部分２４は、相互に取り付けられ、内部室２６を正しく画定する。これに関して、上方部分１８の減径基端部分２０は内部室２６と連通する中央開口２８を画定する。図３及び図４に最も良く見られるにように、中央開口２８と内部室２６との遷移部分は上方部分１８の内面内に形成された環状傾斜肩部３０で画定される。
【００２８】
ハウジング１６の下方部分２４は中央部分３２を備え、中央部分３２はほぼ平らな円形形状の基端面３４を画定し、この基端面３４は環状フランジ部分３６で包囲される。中央部分３２の外面内には連続した環状肩部３８が形成され、中央部分３２の外面のまわりにのびる。上方部分１８及び下方部分２４が互いに取付けられると、上方部分１８の末端リムは環状肩部３８に当接し、フランジ部分３６は上方部分１８の内面と直接接触して上方部分１８の内面に沿ってのびる。上方部分１８及び下方部分２４の相互の取付けは好ましくは、上方部分１８の末端リムと下方部分２４で画定された環状肩部３８との間に超音波溶着によって行われる。しかしながら、当業者には認められるように、注射サイト１０に接着剤の使用のような代りの取付け法を使用することができる。上方部分１８及び下方部分２４は、上記のようにして互いに堅固に取けられたときに、上方部分１８外面が下方部分２４の中央部分３２の外面と実質的に同じ高さになるように寸法決めされる。
【００２９】
中央部分３２の基端面３４から基端部に向かって実質的に垂直に細長い膨張体突出部分４０がのび、この膨張体突出部分４０は上方部分１８の中央開口２８と同軸整列される。膨張体突出部分４０はほぼ円筒状形態をもち、そして丸い先端部４２を画定する。膨張体突出部分４０に加えて、下方部分２４には、中央部分３２の末端面４４から末端部に向ってのびる細長いアダプター部分４６が形成される。注射サイト１０において、アダプター部分４６は好ましくは管接続部を備え、管接続部はテーパー状外面及び丸い末端部４８を備える。中央部分３２の末端面４４から末端面に向かって末端ロック領域５０がのび、この末端ロック領域５０はアダプター部分４６を包囲し、そしてハウジング１６を環状面に接続するのに用いられる。好ましい実施の形態において、末端ロック領域５０はその内面にＬｕｅｒねじ５２を備え、そしてアダプター部分４６の末端部４８がそれの末端リムを越えて突出するように寸法決めされる。
【００３０】
図４に示すように、アダプター部分４６は注射サイト１０を流体ライン１２に接続するように形成される。このような接続は、アダプター部分４６を流体ライン１２の管腔の一端に進めることによって達成され、アダプター部分４６は流体ライン１２内に摩擦保持されるように寸法決めされ、形態決めされる。末端ロック領域５０は注射サイト１０を流体ライン１２以外の注入構成要素に接続するようにされ得ることが認められる。アダプター部分４６が注射サイト１０を流体ライン１２又は他の注入構成要素に接続するのに用いられないときには、アダプター部分４６は通常通気キャップ５４で覆われ、通気キャップ５４は相補的な形状をもち、図２に示すように、アダプター部分４６上にかぶせられ摩擦で保持される。重要な点として、下方部分２４の膨張体突出部分４０及びアダプター部分４６は細長い流体通路５６を正しく画定し、細長い流体通路５６は下方部分２４を通ってのび、上方部分１８の中央開口２８と同軸に整列される。
【００３１】
次に図３〜図５を参照すると、本発明に従って構成した注射サイト１０はさらに、ハウジング１６の内部室２６及び中央開口２８内に配置される再シール部材５８を有する。再シール部材５８は弾性体６０を有し、弾性体６０は、基端部６４を画定するほぼ円筒状基端部分６２と、末端部６８を画定するほぼ円筒状末端部分６６とを備える。中間部分７０の直径より大きく、末端部分６６との間には円筒状中間部分７０が配置される。基端部分６２、中間部分７０及び末端部分６６の直径は徐々に増大し、末端部分６６の直径は中間部分７０の直径より大きく、また中間部分７０の直径は基端部分６２の直径より大きい。基端部分６２と中間部分７０との間の遷移部は第１の面取り肩部７２によって画定され、中間部分７０と末端部分６６との間の遷移部は第２の面取り肩部７４によって画定される。
【００３２】
弾性体６０の基端部６４は、ほぼ平面状形態の凹状円形外面７６を画定する。外面７６に加えて、基端部６４はほぼ半球形内面７８を画定する。基端部６４を介して外面７６から内面７８の頂点へ開口８０が軸方向にのびる。さらに、弾性体６０の末端部６８のまわりに連続した環状フランジ８２が形成され、弾性体６０の末端部６８から半径方向内方にのび、それの内方周縁部は拡大ビードを画定する。弾性体６０は好ましくはシリコーンで構成されるが、代りに、ゴムのような同様な弾性材料で構成してもよい。
【００３３】
再シール部材はさらに、弾性体６０内に配置される半径方向板ばね８４を有する。半径方向板ばね８４はほぼ円形基部分８６を備え、基部分８６は三つの同一形状の等間隔の板部分８８へ面取り肩部９０を介してのびる。板部分８８は三つの長手方向にのびるスロット９２によって互いに分離され、これらのスロット９２は面取り肩部９０にのびる。板部分８８のそれぞれの内面にはほぼ楔形傾斜部９４が形成され、その使用について以下詳細に説明する。
【００３４】
図３及び図４に最も良く見られるように、半径方向板ばね８４は、板部分８８の最外方端部が基端部６４の半球形内面７８を包囲する環状通路内に受けられるようにして弾性体６０内に配置される。さらに、弾性体６０の末端部分６６は、フランジ８２及び特にそれのビードが内面のまわりにのびるように半径方向板ばね８４の基部分８６のまわりを包囲する。半径方向板ばね８４は好ましくはポリスルホン又はポリカーボネートで構成されるが、代りに記憶効果をもつ同様な堅固な材料を利用してもよい。弾性体６０及び半径方向板ばね８４に加えて、注射サイト１０の再シール部材５８はほぼ円筒状の軸方向ドーナッツばね９６を有し、このドーナッツばね９６はスプライン外面をもち、そして長手方向（すなわち軸方向）にのびる孔９８を備える。以下に詳細に説明するように、ドーナッツばね９６は、弾性体６０の末端部６８に通常当接する第１の端部すなわち基端部及びハウジング１６特に下方部分２４の中央部分３２の基部面３４に通常当接する第２の端部すなわち末端部を画定する。弾性体６０と同様に、ドーナッツばね９６は好ましくはシリコーンから成るが、代りに、ゴムのような同様な弾性材料で作られ得る。
【００３５】
注射サイト１０において、弾性体６０の基端部６４を通ってのびる開口８０は、弾性的に開閉できる。これに関して、注射サイト１０の再シール部材５８は通常ハウジング１６内の第１の位置（図３に示す）に位置し、この第１の位置では、開口８０は閉じた状態にある。重要な点として、再シール部材５８は、再シール部材５８及び特に基端部６４の外面７６を包囲する隆起リップに末端部に向う圧力を加えることにより、ハウジング１６を第２の位置（図４に示す）に末端方向に進むように選択的に変形でき、第２の位置では開口８０は開放状態となる。以下に詳細に説明するように、基端部６４から末端部に向う圧力を解放することにより、再シール部材５８及び特にそれのドーナッツばね９６の弾性によって、再シール部材５８は第１の位置へ弾性的に戻り、開口８０は再び閉じた状態となる。
【００３６】
再シール部材５８がハウジング１６内の通常の第１の位置に位置しているときには、下方部分２４の膨張体突出部分４０はドーナッツばね９６の孔９８を通って半径方向板ばね８４の中空内部にのびる。これに関して、膨張体突出部分４０の基端部４２は半径方向板ばね８４の面取り肩部９０の近くまでのびる。膨張体突出部分４０は、半径方向板ばね８４内へのびると、弾性体６０の環状フランジ８２及び特にそれによって画定したビードによって画定した開口を通過する。重要な点として、このビードで画定した開口の直径は膨張体突出部分４０の外径より小さい。それで、膨張体突出部分４０がこの開口を通過すると、ビ―ドは外面に対して流体密にシールされ、すなわち、ビ―ドは、膨張体突出部分４０の外面と半径方向板ばね８４の基部分８６の内面との間で圧縮される。
【００３７】
さらに、再シール部材５８が第１の位置にあるときには、弾性体６０の基端部分６２及び中間部分７０は上方部分１８の中央開口２８内に位置し、弾性体６０の第２の面取り肩部７４及び末端部分６６はドーナッツばね９６と共にハウジング１６の内部室２６に位置する。重要な点として弾性体６０の中間部分７０の直径は基端部分６２の直径以上であるが、基端部分６２及び中間部分７０の両方は、再シール部材５８が第１の位置にあるときに、板部分８８の外面に沿ってしかも外面上にのびる。これに関連して、中間部分７０は中央開口２８内に位置するため、板部分８８の外面に対して圧潰（すなわち圧縮）され、それにより、通常基端部分６２及び中間部分７０の間に画定した第１の面取り肩部７２を“平坦化する”。再シール部材５８が第１の位置にあるときには、弾性体６０の第２の面取り肩部７４は半径方向板ばね８４の肩部９０に沿ってのびかつ肩部９０をカバーし、そして肩部９０と上方部分１８の内面に形成された傾斜肩部３０との間に圧縮される。さらに、弾性体６０の基端部６４は、図２及び図３に最も良く示すように、上方部分１８の基端部分２０のリムを僅かに越えて突出する。
【００３８】
前に指摘したように、ドーナッツばね９６の基端部は弾性体６０の末端部６８に当接し、ドーナッツばね９６の末端部は下方部分２４の中央部分３２及び特にそれの基端面３４に当接する。重要な点として、注射サイト１０において、肩部３０を中央部分３２の基端面３４から分離する距離は、弾性体６０の末端部分６６とドーナッツばね９６との合計長さより僅かに短い。従って、再シール部材５８がハウジング１６内の第１の位置にあるときには、ドーナッツばね９６は弾性体６０の末端部６８と中央部分３２の基端面３４との間で僅かに圧縮され，こうしてそれに予備負荷が加わり、図３に示すように僅かに外側に膨らむ。ドーナッツばね９６は、予備負荷が加わることにより、弾性体６０の中間部分７０を中央開口２８へ上向きに押圧するように作動でき、従って上記したように圧潰され、肩部３０、９０間で第２の面取り肩部７４を圧縮する。重要なこととしては、再シール部材５８が第１の位置にあるときには、半径方向板ばね８４の板部分８８は弾性体６０の基端部６４に半径方向内方の偏倚力を加えて、開口８０を閉じた状態に維持する。
【００３９】
図４に示すように、注入器１４の先端部１５のような注射構成要素によって弾性体６０の基端部６４に末端方向に向いた圧力を加えることにより、半径方向板ばね８４は膨張体突出部分４０上に末端方向に進められる。このような前進により、弾性体６０の第２の面取り肩部７４は肩部３０との当接からはずれ、弾性体６０の中間部分７０は中央開口２８からさらに強制される。さらに、このような末端方向への前進により、ドーナッツばね９６は圧縮され、こうしてハウジング１６の内部室２６内で外側に膨らむ。重要なこととして、板部分８８及び特にそれの内面に形成した傾斜部９４に対する膨張体突出部分４０のカム作用により、外側へ撓され、従って開口８０は半径方向へのびて、開放状態となる。
【００４０】
さらに、弾性体６０の中間部分７０は上方部分１８の圧縮する中央開口２８からはずれるので、通常の配置（図５に示す）に弾性的に戻り、それにより第１の面取り肩部７２を形成し、そして中間部分７０の内面と板部分８８の外面と半径方向板ばね８４の肩部９０との間に膨張及び圧潰可能な容器１００を画定する。従って、再シール部材５８が図４に示すように第２の位置に動くと、弾性体６０の基端部分６２は板部分８８の外面に沿ってのび、そして基端部分６２は板部分８８の外面をカバーし、末端部分６６は半径方向板ばね８４の基部分８６に沿ってのび、そして半径方向板ばね８４の基部分８６をカバーする。しかしながら、弾性体６０の中間部分７０は板部分８８の外面から離間され、従って容器１００を画定する。これに関連して、単に弾性体６０の基端部分６２だけが中央開口２８内に位置し、弾性体６０の中間部分７０及び末端部分６６並びに完全に圧縮したドーナッツばね９６は内部室２６内に位置する。
【００４１】
注射サイト１０の再シール部材５８が図４に示すように第２の位置に動くと、開放した開口８０は流体通路５６及び容器１００の両方と連通する。特に、開放した開口８０は流体通路５６と同軸に整列され、こうして注入器１４と流体通路５６とアダプター部分４６の接続される注射構成要素（流体ライン１２のような）との間に連続した流路が形成される。開放した開口８０は半径方向板ばね８４の板部分８８の間にのびるスロット９２を介して容器１００と流体的に連通する。このようにして、注入器１４からの医薬は開放した開口８０を通って流体通路５６及び容器１００内へ流れる。重要な点として、注入器１４から放出された医薬は、基端部６４の外面を包囲する隆起リップに対する注入器１４の先端部１５の当接で形成されたシール、及び膨張体突出部分４０と半径方向板ばね８４の基部分８６との間におけるフランジ８２の圧縮で形成されたシールによって内部室２６内へ漏れないようにされる。認められるように、フランジ８２によって形成されるシールは、再シール部材５８が第２の位置に動く際に、膨張体突出部分４０に沿って長手方向に移動する摺動シールである。
【００４２】
ドーナッツばね９６の弾性により、末端部に向う圧力を基端部６４から解放すると、半径方向板ばね８４は膨張体突出部分４０上から基端部に向かって引かれ、それにより、図３に示すように、再シール部材５８は第１の位置に弾性復帰する。こうして再シール部材５８が第１の位置に復帰すると、開口８０は閉じた状態に弾性的に戻る。さらに、再シール部材５８が第１の位置に向かって動く際に、中央開口２８への弾性体６０の中間部分７０の結果としての力により、前に説明したように再シール部材５８が第１の位置にあるときに中間部分７０が板部分８８の外面に対して押圧されるので、容器１００は圧潰される。重要な点として、この容器１００の圧潰により、その中に前に導入された流体はその中から半径方向板ばね８４の板部分８８間にのびるスロット９２を介して流体通路５６内へ放出される。再シール部材５８が第１の位置に戻る際の流体通路５６への流体の結果としての流れに伴う利点について以下詳細に説明する。
【００４３】
前に説明したように、従来技術の針なし注射サイトにおいては、注入器が注射サイト内から引き抜かれる際に解剖組織的な通路内へのびる流体ライン内へ血液が引かれる傾向がある。血液のそのような逆流れは、注入器が従来技術の注射サイト内から引き抜かれる際に流体ラインに生じた真空に起因する。有利には、上記のようにして注射サイト１０の容器１００を圧潰することにより、再シール部材５８が第２の位置（図４に示す）から第１の位置（図３に示す）に動くときに、流体ライン１２内に真空の生じるのが防止される。これに関連して、容器１００から流体通路５６への流体の流れは、流体通路５６及びそれに接続された流体ライン１２内にゼロ又は正の圧力を発生し、こうして血液が流体ライン１２内へ引かれるのを阻止する。有利には、流体ライン１２内に血液がないことにより、その中における望ましくない凝固が防止され、流体ライン１２の不注意な妨げの危険が避けられる。
【００４４】
注射サイト１０において、容器１００は、膨張体突出部分４０を通ってのびる流体通路５６の平均内径と第１、第２の位置間の再シール部材５８の軸方向移動距離との積に等しい又はそれより大きい流体容積を置換するように寸法決めされる。殆どの応用において、膨張した容器１００は、再シール部材５８が第１の位置に戻る際に流体通路５６内にゼロ又は正の圧力を生じさせるのに十分であるほぼ０．０３５ｍｌの容積容量をもつように寸法決めされる。弾性体６０の中間部分７０の直径を大きくすることにより、容器１００の容積容量が結果として増大することが認められる。これに関連して、容器１００の容積容量が増大することにより、容器１００が圧潰されるときに流体通路５６内に正の圧力が発生される。逆に、中間部分７０の直径が減少すると、容器１００が圧潰されるときに容器１００の容積が流体通路５６内にゼロ圧力を生じさせるように中間部分７０の直径は減少され得る。
【００４５】
前に説明したように、図２〜図４に示す注射サイト１０及び特に注射サイト１０のハウジング１６は流体ライン１２に流体的に接続されるようにされる。図示していないが、ハウジング１６は他の注射構成要素にも接続するように形成され得ることが認められる。これに関連して、本発明の精神及び範囲から逸脱せずに異なった形状のハウジングに組合された再シール部材５８を備える他の注射サイトを構成してもよい。実際に、再シール部材５８を利用する任意のハウジングは単に、前に述べたようにして注入器１４から注射構成要素への流体通路を形成するために、再シール部材５８が第１、第２の位置間で移動できるように構成される必要がある。
【００４６】
再シール部材５８の形態により、緊急状態の場合には、医薬は、前述の針なし注入器１を介してよりはむしろ針付き注入器装置を介して流体通路５６内へ供給され得る。これに関連して、針付き注入器装置が利用される場合には、再シール部材５８は開口８０を開放するために第２の位置へ動かされない。むしろ、針付き注入器装置の針は単に閉じた開口８０を介して膨張体突出部分４０の流体通路５６内へ強制される。
【００４７】
次に図６を参照すると、本発明の第２の好ましい実施の形態に従って構成した一定流量の針なし注射サイト１０ａが示される。この注射サイト１０ａは前述の注射サイト１０と構造及び作用に関して実質的に同じである。しかしながら、第２の実施の形態の注射サイト１０ａはさらに、Ｉ．Ｖ．滴下ユニット内に流体的に結合されたときに治療流体の一定の流量を供給するようにされる。これに関連して、注射サイト１０ａは、注射サイト１０に伴う前に述べた利点及び利益をもたらす他に、更にＩ．Ｖ．滴下ユニットを通る治療流体の流れを調節する流量調節装置として使用するようにされる。
【００４８】
図６に示すように、注射サイト１０ａは、注射サイト１０ａの膨張体突出部分４０ａの基端部内に環状計量部材１０２が設けられる点を除いて、前述の注射サイト１０と構成上同じである。一層特に、環状計量部材１０２は膨張体突出部分４０ａの流体通路５６ａの基端部内に位置する。環状計量部材１０２は基端面及び基端部を画定し、基端面は膨張体突出部分４０ａの基端部と実質的に同じ高さにあり、また基端部は、流体通路５６ａを画定する膨張体突出部分４０ａの内面内に形成された環状肩部上に位置する。環状計量部材１０２の好ましい厚さ（すなわち対向した基端面と基端部との間の距離）はほぼ１ｍｍから１０ｍｍである。
【００４９】
環状計量部材１０２内には（すなわち軸方向にのびて）オリフイス１０４が中心に位置決めされる。このオリフイス１０４は好ましくはほぼ３００ミクロンの直径をもつが、他の寸法及び環状計量部材１０２の他の厚さも以下に詳細に説明する理由で考えられる。環状計量部材１０２は接着剤又は他の取付け法により流体通路５６ａ内に固定される別個の要素を備えることができ、或いは代りに膨張体突出部分４０ａの一部として一体的に形成され得る。
【００５０】
注射サイト１０ａの再シール部材５８が図６に示すように第２の位置に作動されるときに、開放した開口８０は環状計量部材１０２のオリフイス１０４を介して膨張体突出部分４０ａの流体通路５６ａに流体的に連通する。このように、環状計量部材１０２及び特にそれのオリフイス１０４は、流体を流体通路５６ａにそして注射サイト１０ａに流すことのできる流量を調節する。認められるように、環状計量部材１０２を流れる流体の流量は、オリフイス１０４の直径及び（又は）環状計量部材１０２の厚さを変えることにより変更できる。これに関して、種々の厚さの環状計量部材１０２及び（又は）種々の直径のオリフイス１０４は、達成すべき流体の所望の流量に関連して注射サイト１０ａに組込み得ることが考えられる。さらにハウジング１６の上方部分１８は非常に広範囲の種々の色の一つをもつように構成できることが考えられ、各特定の色は特定のサイズの環状計量部材１０２及び注射サイト１０ａを通して達成され得る流体の特定の流量に対応する。
【００５１】
さらに図６に示すように、注射サイト１０ａが流量調節装置として用いられることになる場合、代表的にはＬｕｅｒコネクタ１０６を使用して管状流体ラインの一端をハウジング１６に接続し、管状流体ラインの他端は溶液バッグに流体的に接続される。Ｌｕｅｒコネクタ１０６は内部ねじ付きロック部分１０８を備え、内部ねじ付きロック部分１０８は上方部分１８の外部ねじ付き基端部分２０とねじ係合する。内部ねじ付きロック部分１０８の他に、Ｌｕｅｒコネクタ１０６は切頭円錐状先端部分１１０を備え、この先端部分１１０は、ロック部分１０８が上方部分１８に係合するときに、注射サイト１０ａの再シール部材５８を第１の位置から第２の位置へ末端方向に前進させるようにされる。
【００５２】
次に、図７、図７ａ及び図７ｂを参照すると、前述の再シール部材５８の代りとして、注射サイト１０、１０ａに使用され得る再シール部材５８ａが示される。再シール部材５８ａは弾性体６０ａを有し、この弾性体６０ａは末端部６８ａ及び基端部６４ａを備え、基端部６４ａは図７ａに最もよく示すように、内面７８ａと外面７６ａを画定する。基端部６４ａを通ってそれの内面７８ａと外面７６ａとの間には弾性的に開閉できる開口８０ａがのびる。弾性体６０ａの基端部６４ａはほぼ円筒状の基端部分６２ａで画定され、末端部６８ａは弾性体６０ａのほぼ円筒状の末端部分６６ａで画定される。基端部分６２ａ及び末端部分６６ａはそれらの間に形成した面取り肩部７３ａで分離され、そして末端部分６６ａの直径が基端部分６２ａの直径を越えるように寸法決めされる。
【００５３】
再シール部材５８ａにおいて、基端部６４ａの内面７８ａは、再シール部材５８ａが第１、第２の位置間を動くときに、基端部６４ａの不注意な磨耗を防ぐためにほぼ半球形状である。さらに、好ましくは、基端部６４ａの外面７６ａには円形凹部１１２ａが形成され、この円形凹部１１２ａは外面７６ａの中心に位置決めされる。再シール部材５８ａの開口８０ａは円形凹部１１２ａのほぼ中央と半球形内面７８ａの頂点との間に軸方向にのびる。外面７６ａに円形凹部１１２ａを形成することにより、開口８０ａのまわりで外面７６ａの周囲には、注入器１４の先端部１５によって基端部６４ａに作用する末端部方向の圧縮圧力が加えられる。このように圧縮圧力を外面７６ａの周囲に加えることにより、再シール部材５８ａが第１の位置から第２の位置へ動く間における弾性体６０ａの基端部６４ａの軸方向膨らみは避けられる。このような軸方向膨らみは、避けられないと再シール部材５８ａの開口８０ａを通る流れを妨げ得ることになる。
【００５４】
さらに図７及び図７ａに示すように、弾性体６０ａの基端部分６２ａには心出しリング１１４ａが形成され、この心出しリング１１４ａは基端部分６２ａのまわりにのび、ほぼ楔形横断面形をもつ。心出しリング１１４ａは、再シール部材５８ａが第１の位置と第２の位置の間を動く際に、中央開口２８を画定する上方部分１８の面に沿って動き、そして開口８０ａを膨張体突出部分４０の流体通路５６と同軸整列させて維持する。このように同軸整列を維持することにより、再シール部材５８ａがハウジング１６内を末端部方向に第２の位置へ動く際に、開口８０ａが開放状態に弾性的にひろがる。心出しリング１１４ａは、中央開口２８を画定する上方部分１８の面に沿って動くが、その面に対して流体密シールを形成しない。これに関して、以下に詳細に説明するように、心出しリング１１４ａ及び（又は）上方部分１８は、好ましくは、再シール部材５８ａが第１の位置と第２の位置の間を動く際にハウジング１６の内部室２６を雰囲気と連通させて維持する流路を備える。
【００５５】
弾性体６０ａの基端部分６２ａに心出しリング１１４ａを形成する他に、好ましくは、弾性体６０ａの末端部分６６ａには面取り肩部７３ａに隣接して少なくとも一つ、好ましくは一対の圧縮リング１１６ａが形成され、各圧縮リング１１６ａは末端部分６６ａの周囲にのびる。心出しリング１１４ａと同様に、各圧縮リング１１６ａは好ましくはほぼ楔形の横断面形をもつ。圧縮リング１１６ａは、以下に詳細に説明する理由で、再シール部材５８ａの末端部分６６ａの直径を有効に増大する。
【００５６】
次に図８ａ及び図８ｂを参照すると、圧縮リング１１６ａの代りに、再シール部材５８ａの末端部分６６ａは少なくとも一つ、好ましくは二組の弓形圧縮タブ１１８ａを備えることができ、これらの圧縮タブ１１８ａは弾性体６０ａの面取り肩部７３ａに隣接して末端部分６６ａのまわりに形成され、そしてのびる。各組は好ましくは、ほぼ９０度の間隔で離間される四つの圧縮タブ１１８ａを備える。各組の圧縮タブ１１８ａは好ましくは、他の組の圧縮タブ１１８ａのそれぞれと長手方向に整列する。
【００５７】
次に図８ｃ及び図８ｄを参照すると、圧縮リング１１６ａの別の代りとして、弾性体６０ａの末端部分６６ａには多数の細長い長手方向にのびる圧縮リブ１２０ａを備えることができ、これらの圧縮リブ１２０ａは、圧縮リブ１２０ａの基端部が弾性体６０ａの面取り肩部７３ａに隣接するように形成される。各圧縮リブ１２０ａは好ましくはほぼ楔形の横断面形をもち、そして弾性体６０ａの末端部分６６ａのまわりに互いに等間隔にのびる。末端部分６６ａにおいて圧縮リブ１２０ａを長手方向に方向決めすることにより、圧縮リブ１２０ａは再シール部材５８ａの弾性体６０ａの軸線に対してほぼ平行にのびる。圧縮タブ１１８ａ及び圧縮リブ１２０ａは圧縮リング１１６ａと同様に、末端部分６６ａの直径を増大するのに用いられる。
【００５８】
圧縮リング１１６ａ、圧縮タブ１１８ａか又は圧縮リブ１２０ａの他に、環状フランジ１２２ａが形成され、この環状フランジ１２２ａは弾性体６０ａの末端部６８ａのまわりに半径方向内方へのびる。環状フランジ１２２ａの内周縁部には拡大ビ―ド１２４ａが形成される。環状フランジ１２２ａ及び特にそれの拡大ビ―ド１２４ａは、再シール部材５８ａがハウジング１６の内部に挿入されるときに膨張体突出部分４０ａに対してシールを形成するのに用いられる。ビ―ド１２４ａで形成したシールは、再シール部材５８ａが第１、第２の位置間を動くときに膨張体突出部分４０ａに沿って弾性体６０ａが動く間維持される。
【００５９】
再シール部材５８ａはさらに半径方向板ばね８４ａを有し、この半径方向板ばね８４ａは再シール部材５８ａ内に配置される。半径方向板ばね８４ａはほぼ円筒状の基部分８６ａを有し、基部分８６ａは面取り肩部９０ａを介して三つの同一形状の等間隔の板部分８８ａに分けられる。板部分８８ａは、肩部９０ａまでのびる三つの長手方向にのびるスロット９２ａによって互いに分離される。板部分８８ａのそれぞれの内面には下方に傾斜したほぼ楔形の傾斜部９４ａが形成され、これらの傾斜部９４ａは基部分８６ａまでのびる。傾斜部９４ａの使用については以下に詳細に説明する。半径方向板ばね８４ａは、板部分８８ａの最外方端部が基端部６４ａの半球状内面７８ａを包囲する環状通路１２６ａ内に受けられるようにして弾性体６０ａ内に配置される。
【００６０】
さらに、弾性体６０ａの末端部６８ａは、ビード１２４ａが半径方向板ばね８４ａの内面のまわりにのびるように半径方向板ばね８４ａの基部分８６ａのまわりを包囲する。半径方向板ばね８４ａは好ましくはポリスルホン又はポリカーボネートで構成されるが、代りとして記憶作用をもつ同様な堅固な材料を利用してもよい。
【００６１】
半径方向板ばね８４ａが上記のようにして弾性体６０ａ内に挿入されると、弾性体６０ａの基端部分６２ａは板部分８８ａの外面に沿ってのびそして板部分８８ａの外面を覆う。しかしながら、弾性体６０ａ内に面取り肩部７３ａを設けることにより、末端部分６６ａの部分は板部分８８ａの外面から分離され、上記の容器１００と同様な環状容器がそれらの間に画定される。しかしながら、フランジ１２２ａに隣接して末端部分６６ａの内面に形成した減径壁部分１２８ａは、半径方向板ばね８４ａの基部分８６ａの外面に当接し、そして基部分８６ａの外面を覆う。再シール部材５８ａの容器は、半径方向板ばね８４ａの板部分８８ａ間に画定したスロット９２ａを介して半径方向板ばね８４ａの内部に流体連通する。
【００６２】
次に図７、図７ｂ及び図７ｃを参照すると、弾性体６０ａ及び半径方向板ばね８４ａの他に、再シール部材５８ａは細長いほぼ円筒状の軸方向ドーナッツばね９６ａを有し、このドーナッツばね９６ａはスプラインすなわち溝付き外面をもち、そして長手方向（すなわち軸方向）にのびる孔９８ａを備える。ドーナッツばね９６ａのスプライン外面は長手方向にのびる多数の細長い通路を画定する。以下に詳細に説明するように、ドーナッツばね９６ａのスプライン形状は、末端部方向に向う圧力の解放に続く再シール部材５８ａの第１の位置への戻りを助ける。ドーナッツばね９６ａは、面取りされ、孔９８ａを包囲しかつ弾性体６０ａの末端部６８ａに通常当接する環状接触面を画定する第１の端部すなわち基端部を備える。ドーナッツばね９６ａは、また、ハウジング１６特に下方部分２４の中央部分３２の基端面３４に通常当接する第２の端部すなわち末端部を備える。再シール部材５８ａにおいて、弾性体６０ａ及びドーナッツばね９６の両方は好ましくはシリコーン又はゴムのような同様な弾性材料で作られる。
【００６３】
再シール部材５８ａは前述の再シール部材５８と極めて同様な仕方で機能する。これに関して、再シール部材５８ａは、ハウジング１６の内部内に挿入されると、弾性的に開閉可能な開口８０ａが閉じる第１の位置に位置する。基端部６４ａの外面７６ａの周囲に末端部方向に向う圧力を加えることにより、再シール部材５８ａはハウジング１６内を第２の位置に末端方向に進み、第２の位置では開口８０ａは開放状態となる。以下に詳細に説明するように、基端部６４から末端部に向う圧力を解放することにより、再シール部材５８ａ及び特にそれのドーナッツばね９６ａの弾性によって、再シール部材５８ａは第１の位置へ弾性的に戻り、開口８０ａは、弾性体６０ａの基端部６４ａから末端部方向に向う圧縮圧力を解放すると閉じた状態となる。
【００６４】
再シール部材５８ａがハウジング１６内の通常の第１の位置に位置しているときには、膨張体突出部分４０はドーナッツばね９６ａの孔９８ａを通って半径方向板ばね８４ａの中空内部にのびる。これに関して、膨張体突出部分４０の基端部４２は半径方向板ばね８４ａの面取り肩部９０ａの近くまでのびる。膨張体突出部分４０は、半径方向板ばね８４ａ内へのびると、弾性体６０ａのフランジ１２２ａ及び特にそれによって画定したビード１２４ａによって画定した開口を通過する。このビード１２４ａで画定した開口の直径は膨張体突出部分４０の外径より小さい。それで、膨張体突出部分４０がこの開口を通過すると、ビ―ド１２４ａは外面に対して流体密にシールされ、すなわち、ビ―ド１２４ａは、膨張体突出部分４０の外面と半径方向板ばね８４ａの基部分８６ａの内面との間で圧縮される。
【００６５】
再シール部材５８ａが第１の位置にあるときには、弾性体６０ａの基端部分６２ａ、面取り肩部７３ａ及び減径壁部分１２８ａから基端部に向ってのびる末端部分６６ａの部分は上方部分１８の中央開口２８内に位置する。これに関して、減径壁部分１２８ａの形成された末端部分６６ａの部分及び弾性体６０ａの末端部６８ａだけはハウジング１６の内部室２６に位置する。第１の位置にあるときの再シール部材５８ａのこの配置により、結果として面取り肩部７３ａが“平坦化し”、板部分８８ａから通常離間した末端部分６６ａの部分が板部分８８ａの外面に対して圧縮されることになる。認められるように、板部分８８ａに対する末端部分６６ａの圧縮により、通常その間に画定した容器１００ａは圧潰される。再シール部材５８ａが第１の位置にあるときに、半径方向板ばね８４ａの面取り肩部９０ａは、上方部分１８の内面に形成された傾斜肩部３０と係合し、弾性体６０ａの末端部分６６ａの部分はそれらの間に圧縮される。さらに、弾性体６０ａの基端部６４ａは、上方部分１８の基端部分２０のリムを僅かに越えて突出する。
【００６６】
前に指摘したように、ドーナッツばね９６ａの基端部は弾性体６０ａの末端部６８ａに当接し、ドーナッツばね９６ａの末端部は下方部分２４の中央部分３２及び特にそれの基端部分３４に当接する。再シール部材５８ａが第１の位置にあるときには、肩部３０を基端面３４から分離する距離は、内部室２６内に位置する弾性体６０ａの末端部分６６ａとドーナッツばね９６ａとの合計長さより僅かに短い。こうして、ドーナッツばね９６ａは弾性体６０ａの末端部６８ａと中央部分３２の基端面３４との間で僅かに圧縮され、それによりドーナッツばね９６ａに予備負荷が加わり、僅かに外側に膨らむ。ドーナッツばね９６ａは、予備負荷が加わることにより、上述のように弾性体６０ａを中央開口２８へ上向きに押圧するように作動でき、従って面取り肩部７３ａは“平坦化し”、再シール部材５８ａの容器は圧潰される。再シール部材５８ａが第１の位置にあるときには、半径方向板ばね８４ａの板部分８８ａは弾性体６０ａの基端部６４ａに半径方向内方の偏倚力を加え、これにより、基端部６４ａの外面７６ａに末端部方向に向う圧縮圧力が加わらない場合に開口８０ａを閉じる。
【００６７】
注入器１４の先端部１５によって弾性体６０ａの基端部６４ａに末端部方向に向いた圧縮圧力を加えることにより、半径方向板ばね８４ａは膨張体突出部分４０上に末端部方向に進められる。このような前進により、半径方向板ばね８４ａの面取り肩部９０ａは肩部３０との当接からはずれ、減径壁部分１２８ａに近い末端部分６６ａの部分は面取り肩部７３ａと共に中央開口２８内からさらに押圧される。また、このような末端方向への前進により、ドーナッツばね９６ａは圧縮され、こうしてハウジング１６の内部室２６内で外側に膨らむ。板部分８８ａ及び特にそれの内面に形成した傾斜部９４ａに対する膨張体突出部分４０のカム作用により、板部分８８ａは外側へ撓され、従って開口８０ａは半径方向へのびて、開放状態となる。傾斜部９４ａの大きさは、膨張体突出部分４０上を再シール部材５８ａが末端部方向に進むことによって外側に撓むので、板部分８８ａが弓形に曲がるのを阻止するようにされる。
【００６８】
認められるように、上記のようにして再シール部材５８ａが第２の位置へ動くと、中央開口２８内から末端部分６６ａの全体がはずれ、末端部分６６ａの内面と半径方向板ばね８４ａの板部分８８ａの外面との間に、膨張及び圧潰可能な容器及び面取り肩部７３ａの両方が弾性的に再形成される。従って、再シール部材５８ａが第２の位置にあるときに、弾性体６０ａの基端部分６２ａだけが中央開口２８内に留まり、末端部分６６ａ及び面取り肩部７３ａは完全に圧縮したドーナッツばね９６ａと共に、内部室２６内に位置する。再シール部材５８ａが第２の位置に動く間にドーナッツばね９６ａが圧縮することにより、ドーナッツばね９６ａの外面におけるスプラインは以下に詳細に説明するように、曲がりくねった形態となる。
【００６９】
再シール部材５８ａが第２の位置に動くと、開放した開口８０ａは流体通路５６ａ及び再シール部材５８ａの膨張した容器の両方と連通する。特に、開放した開口８０ａは流体通路５６ａと同軸に整列され、こうして注入器１４と流体通路５６とアダプター部分４６の接続される注射構成要素（流体ライン１２のような）との間に連続した流路が形成される。前に指摘したように、開放した開口８０ａは半径方向板ばね８４ａの板部分８８ａの間にのびるスロット９２ａを介して再シール部材５８ａの容器と流体的に連通する。このようにして、注入器１４からの医薬は開放した開口８０ａを通って流体通路５６及び膨張した容器内へ流れる。注入器１４から放出された医薬は、基端部６４ａの外面７６ａの隆起した周囲部に対する注入器１４の先端部１５の当接で形成されたシール、及び膨張体突出部分４０と半径方向板ばね８４ａの基部分８６ａとの間におけるビード１２４ａの圧縮で形成されたシールによって内部室２６内へ漏れないようなされる。ビード１２４ａによって形成されるシールは、再シール部材５８が第２の位置に動く際に、膨張体突出部分４０に沿って長手方向に移動する摺動シールである。
【００７０】
ドーナッツばね９６ａの弾性により、末端部に向う圧縮圧力を基端部６４ａから解放すると、半径方向板ばね８４ａは膨張体突出部分４０上から基端部に向かって引かれ、それにより、再シール部材５８ａは第１の位置に弾性復帰し、従ってドーナッツばね９６ａは元の予備負荷のかかった状態に戻る。こうして再シール部材５８ａが第１の位置に復帰すると、開口は閉じ、また面取り肩部７３ａ及び減径壁部分１２８ａに近い弾性体６０ａの末端部分６６ａの部分は、中央開口２８内へ戻される。認められるように、板部分８８ａから通常離間した弾性体６０ａの末端部分６６ａの部分を中央開口２８へ押圧することにより、再シール部材５８ａの容器は圧潰される。この容器の圧潰により、その中に前に導入された流体はその中から半径方向板ばね８４ａの板部分８８ａ間にのびるスロット９２ａを介して流体通路５６内へ放出される。再シール部材５８に関して上記で説明したように、再シール部材５８ａが第１の位置に戻る間における流体通路５６への流体の結果としての流れにより、流体通路５６及びそれに接続された流体ライン１２内にゼロ又は正の圧力が発生され、こうして血液が流体ライン１２内へ引かれるのを阻止する。流体ライン１２内に血液がないことにより、その中における望ましくない凝固が防止され、流体ライン１２の不注意な妨げの危険が避けられる。
【００７１】
再シール部材５８ａが第１の位置に戻る間に生じる容器の圧潰は、弾性体６０ａの末端部分６６ａにおける圧縮リブ１２０ａ又は圧縮リング１１６ａ、圧縮タブ１１８ａを備えることにより補助される。前述のように、これらの構造は末端部分６６ａの直径を有効に増大し、従って、板部分８８ａの外面に対する圧縮及び板部分８８ａから通常離間した末端部分６６ａの部分が中央開口２８内に強制される時の容器の結果としての圧潰が補助される。再シール部材５８ａの容器は好ましくは、膨張体突出部分４０を通ってのびる流体通路５６の平均内径と第１、第２の位置間の再シール部材５８ａの軸方向移動距離との積に等しい又はそれより大きい流体容積を置換するように寸法決めされる。殆どの応用において、再シール部材５８ａの膨張した容器は、再シール部材５８ａが第１の位置に戻る際に流体通路５６内にゼロ又は正の圧力を生じさせるのに十分であるほぼ０．０３５ｍｌの容積容量をもつように寸法決めされる。前述の再シール部材５８の場合のように、再シール部材５８ａは、針付き及び針なしの両注入器と共に用いられ得る。
【００７２】
前に指摘したように、ドーナッツばね９６ａの第１の端部は好ましくは面取りされ、それにより画定した環状接触面９９ａは弾性体６０ａの末端部６８ａに対して当接する。このように、再シール部材５８ａが第１の位置から第２の位置へ動くときに、ドーナッツばね９６ａに対して半径方向板ばね８４ａ及び弾性体６０ａにより作用する圧縮圧力は単に、弾性体６０ａのフランジ１２２ａ及びそれのビード１２４ａとほぼ長手方向に整列するドーナッツばね９６ａの接触面９９ａに加えられる。再シール部材５８ａが第２の位置へ動くときに、フランジ１２２ａと接触面９９ａとの間の確実な係合は、開放した再シール部材５８ａへの高圧の流体が膨張体突出部分４０との接触からはずれて外方へビード１２４ａを強制するのを阻止する。この下向きの動きを阻止することにより、ビード１２４ａと膨張体突出部分４０との間の流体密シールが維持される。このように、ドーナッツばね９６ａの第１の端部の面取り形状は、膨張体突出部分４０に対する密封係合を維持するビード１２４ａにおける力を有効に分離する。
【００７３】
更に、再シール部材５８ａが第１の位置から第２の位置へ動く間にドーナッツばね９６ａが圧縮されるので、ドーナッツばね９６ａは、典型的には、上方部分１８のＬｕｅｒねじ２２へのＬｕｅｒロックの捩れにより捩れる。ドーナッツばね９６ａのこのような捩れにより、スプラインはほぼ曲りくねった形状となる。ドーナッツばね９６ａのこのような曲りくねった捩れは、それの跳ね返り及び末端部に向う圧縮圧力の解放に続いて第１の位置への再シール部材５８ａの戻りを助ける。このように、ドーナッツばね９６ａの跳ね返りは、軸方向圧縮だけでなく、スプラインの曲りくねった捩れにより促進される。
【００７４】
次に図９を参照すると、再シール部材５８ａを含む注射サイト１０、注射サイト１０ａのハウジング１６は、別の形状の上方部分１８ａを備え得る。上方部分１８ａは前述の上方部分１８と同様であり、そして外面上にＬｕｅｒねじ２２ａを形成した減径基端部分２０ａを備える。基端部分２０ａは、ハウジング１６の下方部分に上方部分１８ａを取付けることによって画定した内部室２６と連通する中央開口２８ａを画定する。これに関して、上方部分１８と同様に、上方部分１８ａは、中央開口２８ａと内部室２６との間の遷移部を画定する内面内に形成された環状傾斜肩部３０ａを備える。
【００７５】
上方部分１８ａと上方部分１８との主な相違点は、上方部分１８ａの内面内に少なくとも一つ、好ましくは三つの細長いスロット１３０ａを形成した点にある。図９に示すように、各スロット１３０ａは、中央開口２８ａを画定する上方部分１８ａの内面部分に形成される第１の部分１３２ａを画定し、そして基端部分２０ａの一端の直下から肩部３０ａまでのびる。第１の部分１３２ａは、肩部３０ａに向かって進むにつれて徐々に深さが増大する。第１の部分１３２ａは、肩部３０ａを画定する上方部分１８ａの内面の部分に形成される第２の部分１３４ａに移り変わる。第２の部分１３４ａは、内部室２６を部分的に画定する上方部分１８ａの内面の部分に形成される第３の部分１３６ａに移り変わる。
【００７６】
重要な点として、スロット１３０ａは、再シール部材５８ａが第１の位置から第２の位置へ動くときに、ハウジング１６の内部室２６から雰囲気への空気通路を形成する。これらの空気通路は、内部室２６内における圧力の発生を、第２の開放位置に対して再シール部材５８ａを変形する能力に悪影響し得るので、阻止する。
【００７７】
次に図１０及び図１０ａを参照すると、ハウジング１６に上方部分１８ａを設ける代りに、内部室２６のベントはハウジング１６に代りの下方部分２４ａを設けることによって達成され得る。下方部分２４ａは、ハウジング１６に含まれる場合、典型的には上方部分１８ａと共に用いられないが、内部室２６を画定するために前述の上方部分１８に取付けられる。下方部分２４ａは、前述の下方部分２４と実質的に同一であり、そして環状フランジ部分３６ａで包囲したほぼ平面状の円形基端面を画定する中央部分３２ａを備える。膨張体突出部分４０は中央部分３２ａの基端面から軸方向にのびる。中央部分３２ａは更に円形末端面４４ａを画定し、この円形末端面４４ａは細長いアダプター部分４６ａを備え、この細長いアダプター部分４６ａは軸方向にのびそして膨張体突出部分４０と連通する。また中央部分３２ａの円形末端面４４ａからは末端ロック領域５０ａがのび、この末端ロック領域５０ａはアダプター部分４６ａを包囲し、そしてハウジング１６を環状面に接続するのに用いられる。下方部分２４の場合のように、下方部分２４ａにおいて、アダプター部分４６ａの末端部は末端ロック領域５０ａの末端リムを越えて突出する。
【００７８】
下方部分２４ａと下方部分２４との主な相違点は、中央部分３２ａ内にのびる一対の開口１３８ａを設けた点にある。これに関して、下方部分２４ａを含むハウジング１６が組立てられると、開口１３８ａは、アダプター部分４６ａと末端ロック領域５０ａとの間に画定した空間と、内部室２６との間に画定される通路に連通する。開口１３８ａは、上方部分１８ａのスロット１３０ａと同じベント作用を行い、そして再シール部材５８ａが第１の位置から第２の位置へ動く際に内部室２６内に圧力の発生するのを阻止する。重要な点として、図１０ａに最も良く示すように、開口１３８ａは各々、アダプター部分４６ａの軸線を２等分する軸線上に方向決めされない。むしろ、開口１３８ａの一つは素のような軸線からオフセットされ、両開口１３８ａが同時にドーナッツばね９６ａのスプラインによって塞がれないようにする。
【００７９】
次に図１１を参照すると、ハウジング１６に、内部室２６のベント作用を行うために変更した下方部分２４ａ及び（又は）変更した上方部分１８ａを設けるよりはむしろ、再シール部材５８ａの弾性体６０ａの心出しリング１１４ａに一つ、好ましくは三つのノッチ１４０ａが設けられ得る。これらのノッチ１４０ａは、中央開口２８を画定する上方部分１８の内面と基端部分６２ａの外面との間に隙間を形成し、従って再シール部材５８ａが第１の位置から第２の位置へ動く際に内部室２６と雰囲気との間に空気通路を画定する。
【００８０】
再シール部材５８、５８ａをそれぞれ含む注射サイト１０、１０ａにおいて、注射サイト１０、１０ａは、流体が再シール部材５８、５８ａ上又はそのまわりよりはむしろ再シール部材５８、５８ａを通って流れるように機能する。これに関して、注入器１４の先端部１５すなわちＬｕｅｒコネクタ１０６の先端部分１１０は、再シール部材５８、５８ａが第２の位置に末端部に向って進むときに、再シール部材５８、５８ａの外面７６、７６ａの周囲部に密封係合して維持される。外面７６、７６ａに対して先端部１５、１１０間にシールが形成されるため、再シール部材５８、５８ａが第２の位置へ動く結果として開放する開口８０、８０ａ内へ注入器１４すなわちＬｕｅｒコネクタ１０６から直接流体が流れ、そしてハウジング１６の上方部分１８、１８ａの内面と再シール部材５８、５８ａとの間に流体が流れるのを阻止する。
【００８１】
流体が再シール部材５８、５８ａ上又はそのまわりよりはむしろ再シール部材５８、５８ａを通って流れるために、注射サイト１０、１０ａにおいては、ハウジング１６の上方部分１８、１８ａの内面の任意の部分と再シール部材５８、５８ａとの間に如何なる流体密シールを維持する必要がない。従って、変更された上方部分１８ａにはハウジング１６の内部室２６をベントするためにノッチ１４０ａをもつ心出しリング１１４ａ及び（又は）スロット１３０ａが設けられ得る。更に、変更された下方部分２４ａは、再シール部材５８、５８ａと上方部分１８、１８ａとの間の部分には流体が充填されないので、内部室２６をベントさせる開口１３８ａを備えることができる。
【００８２】
本発明の更なる変更及び改良は当業者に明らかであり得る。従って、上記で説明し例示した部分の特定の組合せは本発明の単なる一実施の形態を表すものであり、本発明の精神及び範囲内の代りの装置の限定しようとするものではない。
【図面の簡単な説明】
【図１】  本発明に従って構成した針なし注射サイトを用いて解剖組織的な通路に流体を注射する典型的な仕方を示す斜視図である。
【図２】  本発明に従って構成した針なし注射サイトの部分断面図である。
【図３】  再シール部材が第１の閉じた位置に示される、図２に示す針なし注射サイトの断面図である。
【図４】  再シール部材が第２の開いた位置に変形して示される、図２に示す針なし注射サイトの断面図である。
【図５】  図３及び図４に示される再シール部材を備えた構成要素を示す分解斜視図である。
【図６】  本発明の第２の実施の形態に従って構成した一定流量の針なし注射サイトの部分断面図である。
【図７】  図７は再シール部材の別の実施の形態を示す分解斜視図である。図７ａは図７に示す再シール部材の本体構成要素の断面図である。図７ｂは図７に示す再シール部材のドーナッツばね構成要素の頂面図である。図７ｃは図７ｂの線７ｃ−７ｃに沿った再シール部材のドーナッツばね構成要素の部分断面図である。
【図８】  図８ａは図７ａに示す再シール部材の本体構成要素の第１の代りの実施の形態の部分側面図である。図８ｂは図８ａの線８ｂ−８ｂに沿った横断面図である。図８ｃは図７ａに示す再シール部材の本体構成要素の第２の代替の実施の形態の部分側面図である。図８ｄは図８ｃの線８ｄ−８ｄに沿った横断面図である。
【図９】  針なし注射サイトのハウジングの上方部分の代りの実施の形態の破断斜視図である。
【図１０】  図１０は針なし注射サイトのハウジングの下方部分の代りの実施の形態の破断斜視図である。図１０ａは図１０に示す針なし注射サイトのハウジングの下方部分の底面である。
【図１１】  図７及び図７ａに示す再シール部材本体の別の実施の形態を示す部分斜視図である。
【図１】
0004230662.tif 000002
【図２】
0004230662.tif 000003
【図３】
0004230662.tif 000004
【図４】
0004230662.tif 000005
【図５】
0004230662.tif 000006
【図６】
0004230662.tif 000007
【図７】
0004230662.tif 000008
【図８】
0004230662.tif 000009
【図９】
0004230662.tif 000010
【図１０】
0004230662.tif 000011
【図１１】
0004230662.tif 000012